(57)【要約】【課題】  ボード上における光ファイバーの高密度配線を可能にするボード実装型光コネクタを提供する。【解決手段】  側壁の少なくとも一部に設けた開口部を通じてアクセス可能な収容部を有し、ボード上に一部を這わせ且つボードに対して略直角方向に曲げられた光ファイバー部材の一部を光ファイバー部材に接続された光部品とともに開口部を通じて収容部に受け入れる第１ハウジング部品と、第１ハウジング部品に取り付けられて、光ファイバー部材の一部と光ファイバー部材に接続された光部品を第１ハウジング部品に内蔵させた状態で収容部の開口部を閉じることができる第２ハウジング部品と、から成るハウジングを有するボード実装型光コネクタである。【選択図】      図１
2006243366.tif 000002
【特許請求の範囲】
【請求項１】
側壁の少なくとも一部に設けた開口部を通じてアクセス可能な収容部を有し、ボード上に一部を這わせ且つボードに対して略直角方向に曲げられた光ファイバー部材の一部を前記光ファイバー部材に接続された光部品とともに前記開口部を通じて前記収容部に受け入れる第１ハウジング部品と、
前記第１ハウジング部品に取り付けられて、前記光ファイバー部材の一部と前記光ファイバー部材に接続された前記光部品を前記第１ハウジング部品に内蔵させた状態で前記収容部の開口部を閉じることができる第２ハウジング部品と、から成るハウジングを有することを特徴とするボード実装型光コネクタ。
【請求項２】
前記第１ハウジング部品と前記第２ハウジング部品はそれぞれ一体成形されており、前記光コネクタと嵌合させるべき相手コネクタを誘い込み、或いは、係止する部分をそれぞれ有する請求項１記載の光コネクタ。
【請求項３】
光ファイバー部材の先端付近に各々接続された複数の光部品を保持する保持部品と、
側壁に設けた開口部を通じてアクセス可能な収容部を有し、ボード上に一部を這わせ且つボードに対して略直角方向に曲げられた前記光ファイバー部材の一部を前記光ファイバー部材に接続された前記保持部品とともに前記開口部を通じて前記収容部に受け入れる第１ハウジング部品と、
前記ボードの上方から前記第１ハウジング部品に取り付けられて、前記光ファイバー部材の一部と前記光ファイバー部材に接続された前記光部品を前記第１ハウジング部品に内蔵させた状態で前記収容部の開口部を閉じることができる第２ハウジング部品と、から成るハウジングを有することを特徴とするボード実装型光コネクタ。
【請求項４】
前記保持部品に、前記光コネクタと嵌合させるべき相手コネクタを誘い込み、或いは、係止する部分を有する補助ハウジングを取り付けた請求項３記載の光コネクタ。
【請求項５】
前記第２ハウジング部品は前記第１ハウジング部品に圧入固定される請求項１乃至４のいずれかに記載の光コネクタ。
【請求項６】
前記第１ハウジング部品は前記ボードとの固定面にプレスフィット端子を有する請求項１乃至５のいずれかに記載の光コネクタ。
【請求項７】
前記第１ハウジング部品において、前記第１ハウジング部品と前記ボードとの固定面の縁を前記開口部を設けた側において切欠いた請求項１乃至６のいずれかに記載の光コネクタ。
【発明の詳細な説明】
【技術分野】
【０００１】
本発明は、バックプレーン等のボード上に実装して用いるタイプのボード実装型光コネクタに関する。
【背景技術】
【０００２】
近年、情報通信速度の高速化による電線での通信速度限界や、電子機器の小型化による電気ノイズ発生の対策として、光信号伝送が行われている。ルーターなどの莫大な信号処理を行う装置では、バックプレーンボード上で多数の配線が交錯、集中するが、光配線に関しては高密度かつコンパクトなバックプレーンボードは実現できていない。
【０００３】
光配線の高密度化を図った従来技術として、例えば、特開２００３−１２１６９７がある。図１８に、この従来技術による装置の断面を示す。この光コネクタ８０は、相手光コネクタ９０と嵌合され得る。嵌合を容易にするため、光コネクタ８０には、相手光コネクタ９０を誘い込む等するための誘い込み部分８１ａが、これに対応して、相手光コネクタ９０には、誘い込み部分８１ｂが設けてある。実際の使用にあたっては、光コネクタ８０は、図示のように、バックプレーンボード８１上に立設して配置される。立設配置された光コネクタ８０に対し、一部をバックプレーンボード８１に這わせ且つ光コネクタ８０近傍でバックプレーンボード８１に対して略直角Ｒに曲げられた光ファイバー８２を光コネクタ８０内部に収容して設けることによって、パッケージボードピッチが狭くても光コネクタを実装する事を可能としている。このような構成によれば、光ファイバー８２をより高密度配線可能とし、よりコンパクトな光バックプレーンを実現することができる。
【０００４】
図面からは必ずしも明らかではないが、この光コネクタ８０の組立は、先ず、先端にフェルール８７やフェルール保持体８６を取り付けた光ファイバー８２を、光コネクタの筒状ハウジング８５を通じて予め貫通させておき、バックプレーン８１上における光ファイバー８２ａをバックプレーン８１上の所定位置に固定した後に、筒状ハウジング８５に予め貫通させておいた光ファイバー８２を図示矢印方向Ａに引っ張って筒状ハウジング８５の筒状内部にフェルール保持体８６やフェルール８７を圧入固定し、最後に筒状ハウジング８５をバックプレーン８１上の所定位置に立設させる、といった方法が採用されている。
【０００５】
しかしながら、このような組立方法では、光ファイバー８２を後に引っ張ることとしているために、光ファイバー８２に余長部を設けておく必要があり、また、光ファイバー８２に筒状ハウジング８５その他の光コネクタ部品を固定した後にそれらをまとめてバックプレーン８１上の所定位置に実装するものであるから、そのような作業途中で光ファイバー８２を断線させてしまう危険が大きく、更に、例えば、光ファイバー８２或いはそのような光ファイバーを複数束ねたファイバーボードでは、光ファイバーの取り出し部付近に剛性が無く、また、ファイバーボードでは１枚のファイバーボードに多数のコネクタを付けることとされているため、実装工程が難しいといった問題がある。また、高密度実装では、狭パッケージボードピッチが要求されるが、ファイバーボードにコネクタがついた状態でバックプレーンへの実装を行うと、隣接したコネクタが干渉してしまい、バックプレーンへ光コネクタを実装する工程が困難となるといった問題もある。
【０００６】
【特許文献１】特開２００３−１２１６９７
【発明の開示】
【発明が解決しようとする課題】
【０００７】
本発明は、このような従来の問題点に着目してなされたもので、光ファイバーに余長部を設けずに、光ファイバーの高密度配線を可能にし、また、ボード上でコネクタの組み立てを行うようにして、更に詳細には、光ファイバーやファイバーボードのバックプレーンに対する位置決めと、光コネクタハウジングのバックプレーンに対する位置決めとを別個に行った後に、光コネクタハウジングに光ファイバーやファイバーボードを取り付けるようにして、組み立て容易な光コネクタを提供することを目的とする。
【課題を解決するための手段】
【０００８】
本発明は、ボード実装型光コネクタであって、側壁の少なくとも一部に設けた開口部を通じてアクセス可能な収容部を有し、ボード上に一部を這わせ且つボードに対して略直角方向に曲げられた光ファイバー部材の一部を前記光ファイバー部材に接続された光部品とともに前記開口部を通じて前記収容部に受け入れる第１ハウジング部品と、前記第１ハウジング部品に取り付けられて、前記光ファイバー部材の一部と前記光ファイバー部材に接続された前記光部品を前記第１ハウジング部品に内蔵させた状態で前記収容部の開口部を閉じることができる第２ハウジング部品と、から成るハウジングを有することを特徴とする。
【０００９】
上記光コネクタにおいて、前記第１ハウジング部品と前記第２ハウジング部品はそれぞれ一体成形されており、前記光コネクタと嵌合させるべき相手コネクタを誘い込み、或いは、係止する部分をそれぞれ有していてもよい。
【００１０】
また、本発明は、ボード実装型光コネクタであって、光ファイバー部材の先端付近に各々接続された複数の光部品を保持する保持部品と；側壁に設けた開口部を通じてアクセス可能な収容部を有し、ボード上に一部を這わせ且つボードに対して略直角方向に曲げられた前記光ファイバー部材の一部を前記光ファイバー部材に接続された前記保持部品とともに前記開口部を通じて前記収容部に受け入れる第１ハウジング部品と；前記ボードの上方から前記第１ハウジング部品に取り付けられて、前記光ファイバー部材の一部と前記光ファイバー部材に接続された前記光部品を前記第１ハウジング部品に内蔵させた状態で前記収容部の開口部を閉じることができる第２ハウジング部品と；から成るハウジングを有することを特徴とする。
【００１１】
上記光コネクタにおいて、前記保持部品に、前記光コネクタと嵌合させるべき相手コネクタを誘い込み、或いは、係止する部分を有する補助ハウジングを取り付けてもよい。
【００１２】
上記光コネクタにおいて、前記第２ハウジング部品は前記第１ハウジング部品に圧入によって固定されてもよい。
【００１３】
上記光コネクタにおいて、前記第１ハウジング部品は前記ボードとの固定面にプレスフィット端子を有していもよい。
【００１４】
上記光コネクタにおいて、前記第１ハウジング部品において、前記第１ハウジング部品と前記ボードとの固定面の縁を前記開口部を設けた側において切欠いたものであってもよい。
【発明の効果】
【００１５】
本発明によれば、バックプレーンに光ファイバー或いはファイバーボードを固定する工程と並行してバックプレーンに対する光コネクタの実装が可能であり、光配線の高密度化、狭ボードピッチ化に対応可能である。
【発明を実施するための最良の形態】
【００１６】
以下、図面を参照しつつ本発明を説明する。
【００１７】
図１は、本発明の第１実施形態によるボード実装型光コネクタ１の組立最終形態の斜視図、更に言えば、バックプレーン１０上に実装され且つ光フェルール１６が組み込まれた後の光コネクタの斜視図である。これに対し、図２、図３は、バックプレーン１０上に実装される前であって且つ光フェルール１６が組み込まれる前の光コネクタハウジングの主要部品の斜視図である。更に、図４、図５は、図２、図３に示した主要部品を組み立てて図１の最終形態とする工程を明らかにした図である。
【００１８】
ハウジングは、第１ハウジング部品３と第２ハウジング部品４から成る２つの２分割部品で形成されている。更に言えば、第２ハウジング部品４（第１ハウジング部品３）は、第１ハウジング部品３（第２ハウジング部品４）に対して、バックプレーン１０の平面方向（バックプレーンのスロット並び方向、或いは、側壁方向）に分割形成されている。これら第１ハウジング部品３と第２ハウジング部品４は、互いに組み合わされたときに初めて、１つのハウジング部品として機能し得る。このような構成とする事によって、光コネクタハウジングに対する光フェルール１６や光ファイバー１４の実装工程を簡易化し、従来よりも狭い空間でバックプレーン１０上に光コネクタの実装を行う事ができる。尚、第１ハウジング部品３と第２ハウジング部品４は樹脂等で一体成形されていてもよい。各ハウジング部品３、４の一側面の先端には、それぞれ、相手コネクタ（図示されていない）を誘い込み、或いは、係止するための２つの突起３１、３３が設けられていてもよく、特に、ハウジング部品３、４を一体成形とした場合には、これらの突起３１、３２をわざわざ別部品として設ける必要がないといった利点が得られる。
【００１９】
第１ハウジング部品３には、２本の固定ピン６が圧入その他の方法で固定される。これらの固定ピン６は、第１ハウジング部品３の底面から垂直に突出した状態で設ける。固定ピン６は、固定用バックパネル８と固定され得る。固定ピン６の内側はメネジ加工されており、固定用バックパネル８には、固定ピン６に対応した位置にネジ加工した２つの穴９が設けてある。第１ハウジング部品３は、これら固定ピン６や固定用バックパネル８を利用して、第１ハウジング部品３の固定面と固定用バックパネル８の間にバックプレーン１０を挟み込んだ状態で、且つ、バックプレーン１０に固定ピン６を貫通させた状態で、バックプレーン１０上に着脱自在に立設される。
【００２０】
本発明で用いる光フェルール１６は従来から使用されているものであってよい。例えば、図示のような８芯のものであってもよいし、使用状況によっては、更に多芯のものであってもあるいは、単芯であってもよい。光フェルール１６は、この光ファイバー１４の先端付近に接続される。光ファイバー１４は、これらを束ねるファイバーボード１２に固定されていてもよく、便宜上、本明細書では、光ファイバー１４やファイバーボード１２等を含め、光ファイバーと同様の働きをする部材を光ファイバー部材と呼んでいる。光ファイバー部材のうち、ファイバーボード１２は、バックプレーン１０に固定され、光ファイバー１４の一部は、バックプレーン１０上に這わせた状態で設けられる。尚、バックプレーン１０に対するファイバーボード１２の固定作業は、光コネクタハウジングのバックプレーン１０に対する設置作業とは別に、例えば並行して、行うことができる。これらの作業を別個に行うことにより、容易に光配線の高密度化、狭ボードピッチ化に対応することができる。
【００２１】
バックプレーン１０にファイバーボード１２を固定する際、ファイバーボード１２、光フェルール１６、及びこれらをつなぐ光ファイバー１４は、互いに固定された状態で一体的に取り扱われる。特に、ファイバーボード１２と光ファイバー１４の間では、ファイバーボード１２からの光ファイバー１４の取り出し部において強度が確保されていないため、固定作業の際に光ファイバー１４が断線しないよう、取り扱いには十分な注意を要する。ただし、光コネクタハウジングを取り付けた状態で固定作業を行っていた従来に比べれば、本発明の固定作業において断線が生ずる危険は非常に少ないということができる。
【００２２】
光フェルール１６と、これに接続された光ファイバー１４の一部、特に、第１ハウジング部品３に対して略直角方向に曲げられた部分は、第２ハウジング部品４との間に挟み込んだ状態で第１ハウジング部品３の収容部に収容される。第１ハウジング部品３には、これらの内蔵部品の形状に応じて窪み付けした収容部５が形成されている。収容部５には、第１ハウジング部品３の側壁に設けた開口部７を通じてアクセス可能である。開口部７を通じて、バックプレーン１０に対して略直角方向に曲げられた光ファイバー１４の一部をその先端付近に設けた光フェルール１６とともに、例えば、バックプレーン１０の平面方向に沿って並行移動させることによって、収容部５に収容することができる。
【００２３】
収容部５に所定部品を収容した後、図示矢印Ｂ（図５参照）のように、バックプレーン１０の上方、例えば、略直角方向から、第２ハウジング部品４を第１ハウジング部品３に接近させて、第１ハウジング部品３に固定し、収容部５に光フェルール１６等を内蔵させた状態で、収容部５の開口部７を閉じることができる。
【００２４】
第２ハウジング部品４の第１ハウジング部品３に対する固定方法として、例えば、第１ハウジング部品３の側方から収容部５の開口部７を閉じてネジ等を使用して両部材を固定することが考えられる。更に別の例として、スライド圧入を使用することができる。スライド圧入を行うため、第２ハウジング部品４には凹状スライド部３４が、第１ハウジング部品３には凸状スライド部３５が、それぞれスライド方向に設けてある。スライド方式を採用することにより、ネジ等を使用する必要がなくなり、また、光ファイバー１４に応力負担をかけずに、第１ハウジング部品３と第２ハウジング部品４を互いに嵌合させることができる。尚、スライド圧入の最終段階として、第２ハウジング部品４の中心底側付近に設けた圧入凸部３６を、第１ハウジング部品３の中心底側付近の一端に設けた圧入凹部３７に嵌める等して、第２ハウジング部品４を第１ハウジング部品３により強固に固定してもよい。
【００２５】
特に図示していないが、光コネクタをバックプレーン１０へ複数個取り付ける場合には、予め、第１ハウジング部品３の全てをバックプレーン１０上に固定し、また、これに対応して、ファイバーボード１２の全てをバックプレーン１０上の所定位置に配置し、その後、第１ハウジング部品３の収容部５にファイバーボード１２に取り付けられた光フェルール１６等を収容し、第２ハウジング部品４を取り付けることとする。このような取り付け方法により、バックプレーン１０上に一旦配置されたファイバーボード１２の位置を大きく変更させる必要がなくなる。
【００２６】
以上の本発明によれば、あらかじめバックプレーン１０上にコネクタハウジングを固定しておき、光ファイバー１４やファイバーボード１２をバックプレーン１０上に配置する工程で光コネクタの取り付けを行う事ができるから、光ファイバー１４やファイバーボード１２をコネクタハウジングへ装着してから、バックプレーン１０へ実装するよりも工程が容易となり、光ファイバー１４の高密度化を容易に図ることができる。また、従来用いられてきた高屈曲ファイバを利用すれば、ファイバ取り出し部１１付近における光ファイバー１４の曲げ半径をより小さくできるの（長さを短くできる）で、光コネクタの高さを低くでき、省スペース化を図ることもできる。特に、本発明の構成によれば、図１８を参照して説明した従来技術に比べて、光ファイバー１４の実装用の余長はわずかで済み、最短の長さに適応したコネクタを設計する事が可能である。
【００２７】
図６に、第１ハウジング部品の一つの変形例を示す。この変形例による第１ハウジング部品３Ａは、バックプレーンへの固定のために、図３に示した固定ピン６や固定用バックパネル８の代わりに、バックプレーン１０との固定面３８に設けたプレスフィット端子３２を利用する。プレスフィット端子３２は、固定面３８から突出状態で複数設けてある。図６は、これらプレスフィット端子３２がよく現れるよう、固定面側からの斜視図として示している。
【００２８】
プレスフィット端子３２は、電気コネクタの分野ではよく使用されているものであり、当業者にはよく知られている。これらプレスフィット端子３２には、通常、電気信号伝達機能があるが、本発明で使用するプレスフィット端子３２は、バックプレーン１０に位置決めすることを主目的とするものであるから、そのような電気信号伝達機能を有するか否かは問題ではない。ただし、この変形例を利用すれば、プレスフィット端子３２を利用してバックプレーン１０に実装される電気コネクタと同様に、本発明の光コネクタについてもプレスフィット端子３２を利用してバックプレーン１０へ実装を行うことができるから、全てのコネクタ部品を同じ固定方法で固定することができるといった利点がある。これにより、電気・光複合バックプレーン１０の製造工程を簡略化することもできる。
【００２９】
図７に、第１ハウジング部品の他の変形例を示す。図７のａ）に、この変形例による第１ハウジング部品３Ｂの全体図を、光ファイバー部材とともに、図７のｂ）に、その一部部分拡大図を、それぞれ示す。この変形例では、第１ハウジング部品３Ｂにおいて、バックプレーン１０との固定面の縁２２が、開口部７を設けた側において、切欠いてへこませされており、これにより、ファイバーボード１２をバックプレーン１０へ固定する際に、ファイバーボード１２を第１ハウジング部品３Ｂにより接近させた状態で配置することができるようになっている。また、この構成によれば、ファイバーボード１２からの光ファイバー１４の露出部をより少なくすることができる。
【００３０】
一般に、狭パッケージボードピッチで高密度光配線する場合、ファイバーボード１２の幅がコネクタ間の隙間よりも大きくなる事があるが、この変形例の様に、バックプレーン１０へ固定する第１ハウジング部品３Ｂの脚部を第１ハウジング部品３Ｂの他の側面より凹ませることによって、図７に示すように、ファイバーボード１２の縁を第１ハウジング部品３Ｂの収容部５の側へより接近させることができる。よって、この構成によれば、バックプレーン１０上に配される光ファイバー１４の余長部をより短くすることができ、上の第１実施形態の構成よりも更に高密度の配線とすることができる。
【００３１】
図８乃至図１７に本発明の第２実施形態を示す。図８は、この第２実施形態によるボード実装型光コネクタの組立の最終形態の斜視図、図９乃至図１３は、バックプレーン１０上に実装される前であって且つ光フェルール１６が組み込まれる前の光コネクタハウジングの主要部品の斜視図である。図１４乃至図１７は、図９乃至図１３に示した主要部品を組み立てて図８の最終形態とする工程を明らかにしたものである。
【００３２】
光コネクタハウジングの主要部品としては、図９に示した第１フェルール保持部品４１と図１０に示した第２フェルール保持部品４２、図１１に示した補助ハウジング４４、更に、図１２に示した第１ハウジング固定部品４６と図１３に示した第２ハウジング固定部品４８が含まれる。
【００３３】
この第２実施形態による光コネクタ４０は、第１実施形態のような単一光フェルール用の光コネクタ１とは異なり、複数光フェルールの光コネクタであって（ここでは４個の光フェルール１６を内蔵できるものとして示した）、複数の光フェルール１６を配列することができるため、第１実施形態の構成よりも更に高密度に配線を行うことができる。尚、光フェルール１６を複数設けたことに対応して、この光コネクタ４０には、複数の光フェルール１６を保持するための第１フェルール保持部品４１と第２フェルール保持部品４２が設けてある。
【００３４】
尚、第２実施形態による光コネクタ４０では、第１実施形態による光コネクタ１とは異なり、光フェルール１６を収納する部品、つまり、第１フェルール保持部品４１や第２フェルール保持部品４２に誘い込み部分は設けられおらず、代わりに、これらフェルール保持部品４１、４２を外部から囲ってそれらの組み合わせを保持するような筒状の補助ハウジング４４に、そのような誘い込み部分４５が設けてある。つまり、この第２実施形態では、光フェルール１６を収納する部品４１、４２と誘い込み部分を有する部品４４が別部品とされている。この構成により、この第２実施形態では、第１実施形態の構成に比べて、ハウジング筐体をより強固にすることができるようになっている。
【００３５】
図９の第１フェルール保持部品４１と図１０の第２フェルール保持部品４２は、互いに対にして使用される。これら第１フェルール保持部品４１と第２フェルール保持部品４２の対応箇所には、光フェルール１６を保持するための凹状の保持部４３が４つ設けてあり、これらの保持部４３に光フェルール１６を配置した状態でそれらを互いに組み合わせることによって、それらの間に複数（４個）の光フェルール１６を挟み込んだ状態で保持することができる。これら第１フェルール保持部品４１と第２フェルール保持部品４２を組み合わせる際のガイドとして、第１フェルール保持部品４１には３つの位置決め突起４７が、第２フェルール保持部品４２には３つの位置決め穴４９が、それぞれ設けられている。
【００３６】
図１１に示した補助ハウジング４４は、全体として略矩形の筒状を成すように一体形成されており、その先端に誘い込み部分４５が設けてある。補助ハウジング４４は、互いに組み合わされた第１フェルール保持部品４１と第２フェルール保持部品４２の側面周囲を覆う。第１フェルール保持部品４１と第２フェルール保持部品４２は、互いに組み合わされ嵌合された状態で、補助ハウジング４４の一方の筒穴５１に圧入等の方法によって嵌め込まれて、そこに固定され得る。
【００３７】
図１２の第１ハウジング固定部品４６と図１３の第２ハウジング固定部品４８は、第１実施形態の第１ハウジング部品３や第２ハウジング部品４と同様に２分割部品として構成されている、更に言えば、第２ハウジング固定部品４８は第１ハウジング固定部品４６に対して、バックプレーン１０の平面方向で分割形成されている。これら第１ハウジング固定部品４６と第２ハウジング固定部品４８は互いに組み合わされたときに初めて１つのハウジング固定部品として機能し得る。このような構成とした事により、光コネクタハウジングに対する光フェルール１６の実装工程を簡易化し、従来技術よりも狭い空間で光コネクタ実装を行う事ができる。
【００３８】
図１２の第１ハウジング固定部品４６には、第１フェルール保持部品４１と第２フェルール保持部品４２を内部に固定した補助ハウジング４４が、その略上半分を露出させた状態で配置される。補助ハウジング４４は、バックプレーン１０の平面方向に沿って並行移動させることによって第１ハウジング固定部品４６の収容部５４に配置され得る。配置の際、補助ハウジング４４の第１ハウジング固定部品４６からの抜け落ちを防止する等のため、補助ハウジング４４の側面両側に設けた計４つの２組の棒状突起５２を、これに対応して第１ハウジング固定部品４６の１つの側壁の側面両側に設けた計４つの２組の穴５３に挿入する。
【００３９】
収容部５４に補助ハウジング４４を配置した後、第２ハウジング固定部品４８を、第１ハウジング固定部品４６の上方から接近させて、例えばスライド圧入等の方法によってそこに固定する。スライド圧入を行うため、第１ハウジング固定部品４６には凸状スライド部５６が、第２ハウジング固定部品４８には凹状スライド部５７が、それぞれスライド方向に沿って設けてある。スライド圧入の最終段階として、第２ハウジング固定部品４８の中心底側付近に設けた圧入凸部５８を、第１ハウジング固定部品４６の中心底側付近の一端に設けた圧入凹部５９に嵌める等して、第２ハウジング固定部品４８を第１ハウジング固定部品４６により強固に固定してもよい。
【００４０】
最後に、図８と共に図１４乃至図１７を参照して、本発明の光コネクタの組立手順を説明する。先ず、図１４に示すように、必要な全ての第１ハウジング固定部品４６をバックプレーン１０上に実装する。これと並行して、図１５に示すように、第１フェルール保持部品４１と第２フェルール保持部品４２によってファイバーボード１２から出ている複数の光フェルール１６をそれらの間に挟み込み、図１６に示すように、その外側周囲に補助ハウジング４４を上方から嵌め込んだ後、図１７に示すように、バックプレーン１０上の所定位置に配置する。このとき、第１ハウジング固定部品４６は既にバックプレーン１０上の適切な位置に配置されているから、図１５に示す部材をその後に大きな位置変更をすることなく図１４の第１ハウジング固定部品４６に配置することができる。最後に、第２ハウジング固定部品４８を第１ハウジング固定部品４６にスライド圧入によって固定し、また、第２ハウジング固定部品４８の圧入凸部５８を第１ハウジング固定部品４６の圧入凹部５９に嵌めて組立を完了する。この第２実施形態の構成によれば、特に、ボード上組立て可能で、コネクタ脱着時に応力がかかる部品を一体化した、耐久性に優れたコネクタが実現できる。
【産業上の利用可能性】
【００４１】
本発明は、光コネクタのみならず、電気コネクタ等、ボード実装タイプの様々なコネクタに応用することができる。
【図面の簡単な説明】
【００４２】
【図１】本発明の第１実施形態によるボード実装型光コネクタの組立最終形態を示す斜視図である。
【図２】光コネクタハウジングの第２ハウジング部品を示す斜視図である。
【図３】光コネクタハウジングの第１ハウジング部品を示す斜視図である。
【図４】バックプレーン上に実装された第１ハウジング部品を示す斜視図である。
【図５】バックプレーン上に実装され光フェルールが組み込まれた後の光コネクタハウジングの斜視図である。
【図６】プレスフィット端子を用いた第１ハウジング部品の変形例を示す図である。
【図７】切欠きを有する第１ハウジング部品の変形例を示す図である。
【図８】本発明の第二実施形態によるボード実装型光コネクタの組立最終形態を示す斜視図である。
【図９】光コネクタハウジングの第１フェルール保持部品を示す斜視図である。
【図１０】光コネクタハウジングの第２フェルール保持部品を示す斜視図である。
【図１１】光コネクタハウジングの補助ハウジングを示す斜視図である。
【図１２】光コネクタハウジングの第１ハウジング固定部品を示す斜視図である。
【図１３】光コネクタハウジングの第２ハウジング固定部品を示す斜視図である。
【図１４】本発明の光コネクタの組立手順の一工程を説明する図である。
【図１５】本発明の光コネクタの組立手順の一工程を説明する図である。
【図１６】本発明の光コネクタの組立手順の一工程を説明する図である。
【図１７】本発明の光コネクタの組立手順の一工程を説明する図である。
【図１８】従来技術による光コネクタを示す断面図である。
【符号の説明】
【００４３】
３  第１ハウジング部品
４  第２ハウジング部品
６  固定ピン
８  固定用バックパネル
１０  バックプレーン
１２  ファイバーボード
１６  光フェルール
１４  光ファイバー
３２  プレスフィット端子
２２  縁
４１  第１フェルール保持部品
４２  第２フェルール保持部品
４４  補助ハウジング
４６  第１ハウジング固定部品
４８  第２ハウジング固定部品
【図１】
2006243366.tif 000003
【図２】
2006243366.tif 000004
【図３】
2006243366.tif 000005
【図４】
2006243366.tif 000006
【図５】
2006243366.tif 000007
【図６】
2006243366.tif 000008
【図７】
2006243366.tif 000009
【図８】
2006243366.tif 000010
【図９】
2006243366.tif 000011
【図１０】
2006243366.tif 000012
【図１１】
2006243366.tif 000013
【図１２】
2006243366.tif 000014
【図１３】
2006243366.tif 000015
【図１４】
2006243366.tif 000016
【図１５】
2006243366.tif 000017
【図１６】
2006243366.tif 000018
【図１７】
2006243366.tif 000019
【図１８】
2006243366.tif 000020